(57)【特許請求の範囲】
【請求項１】
室内機と、該室内機に冷媒配管を介して接続されている室外機との組を複数組備えた冷却システムにおける通信媒体の接続状態を判定する配線チェック装置において、
前記室内機と当該室内機に接続された室外機との通信媒体の接続状態を判定する制御部を備え、
前記制御部は、
前記室内機から所定のデータが当該室内機に冷媒配管を介して接続された室外機に送信され、当該室外機が前記所定のデータを受信すると、当該室外機の受信を検知し、前記室内機と前記室外機とは正常に通信媒体で接続されていると判定するものであり、前記室内機から所定のデータを前記通信媒体を介して送信され、当該室内機に前記冷媒配管を介して接続された室外機以外の室外機が前記所定のデータを受信すると、当該室外機以外の室外機の受信を検知し、前記室内機と当該室外機以外の室外機とが通信媒体で接続されていると判定するものであり、
前記室内機から当該室外機以外の室外機に送信された運転指令を受信し、前記運転指令の送信元を前記室内機と判定し、送信元である前記室内機に冷媒配管を介して接続された室外機に前記運転指令を送信する
ことを特徴とする配線チェック装置。
【請求項２】
前記制御部は、
前記室内機から所定のデータが前記通信媒体を介して送信され、当該室内機に接続された室外機が前記所定のデータを受信しない場合には、前記室内機と前記室外機との間の通信媒体は正常に接続されていないと判定する
ことを特徴とする請求項１に記載の配線チェック装置。
【請求項３】
前記通信媒体の接続状態の判定結果を表示する表示部を備え、
前記表示部は、前記室内機と前記室外機との対応関係を示した状態で前記判定結果を表示する
ことを特徴とする請求項１又は２記載の配線チェック装置。
【請求項４】
室内機と、該室内機に冷媒配管を介して接続されている室外機との組を複数組備えた冷却システムと、
請求項１〜３の何れかに記載の配線チェック装置と、
を備えたことを特徴とする配線チェックシステム。
【請求項５】
異なった台数の前記室内機と、前記室外機とが接続されている
ことを特徴とする請求項４に記載の配線チェックシステム。
【発明の詳細な説明】
【技術分野】
【０００１】
本発明は、配線チェック装置並びに配線チェックシステムに関する。
【背景技術】
【０００２】
従来の空気調和機は、室内機と室外機との配線の接続状態が正しいか否かを判定する際、複数の室内機と１台の室外機との間の配線の接続がマッチングしているか否かを判定していた（例えば、特許文献１参照）。
【先行技術文献】
【特許文献】
【０００３】
【特許文献１】特開平６−２８１３０１号公報（請求項１）
【発明の概要】
【発明が解決しようとする課題】
【０００４】
しかしながら、従来の空気調和機は、複数の室内機と複数の室外機との間の配線の接続状態を判定することができないという問題点があった。
【０００５】
本発明は、上記のような問題点を解決するためになされたもので、複数の室内機と複数の室外機との間の配線の接続状態を判定することができる配線チェック装置並びに配線チェックシステムを提供することを目的とするものである。
【課題を解決するための手段】
【０００６】
本発明の配線チェック装置は、室内機と、室内機に冷媒配管を介して接続されている室外機との組を複数組備えた冷却システムにおける通信媒体の接続状態を判定する配線チェック装置において、室内機と当室内機に接続された室外機との通信媒体の接続状態を判定する制御部を備え、制御部は、室内機から所定のデータが当室内機に冷媒配管を介して接続された室外機に送信され、当室外機が所定のデータを受信すると、当室外機の受信を検知し、室内機と室外機とは正常に通信媒体で接続されていると判定するものであり、室内機から所定のデータを通信媒体を介して送信され、当室内機に冷媒配管を介して接続された室外機以外の室外機が所定のデータを受信すると、当室外機以外の室外機の受信を検知し、室内機と当室外機以外の室外機とが通信媒体で接続されていると判定するものであり、室内機から当室外機以外の室外機に送信された運転指令を受信し、運転指令の送信元を室内機と判定し、送信元である室内機に冷媒配管を介して接続された室外機に運転指令を送信するものである。
【発明の効果】
【０００７】
本発明は、室内機で検知した温度データの転送ルートに基づいて配線の接続状態を判定することにより、複数の室内機と複数の室外機との間の配線の接続状態を判定することができるという効果を有する。
【図面の簡単な説明】
【０００８】
【図１】本発明の実施の形態１における配線チェックシステムのシステム構成を概略的に示す図である。
【図２】本発明の実施の形態１における配線チェックシステムの機能的構成を概略的に示す図である。
【図３】本発明の実施の形態１における配線チェック処理を説明するフローチャートである。
【図４】本発明の実施の形態１における配線チェック処理後に定めた室内機と室外機との配置関係の情報を説明する図である。
【図５】本発明の実施の形態１における配線チェック処理後の表示部１２の表示画面の一例を示す図である。
【図６】本発明の実施の形態２における配線チェックシステムのシステム構成を概略的に示す図である。
【図７】本発明の実施の形態２における配線チェックシステムの機能的構成を概略的に示す図である。
【図８】本発明の実施の形態２における自動修正処理を説明するフローチャートである。
【図９】本発明の実施の形態３における配線チェックシステムの機能的構成を概略的に示す図である。
【図１０】本発明の実施の形態３における配線チェック処理後の表示部１２の表示画面の一例を示す図である。
【発明を実施するための形態】
【０００９】
以下、本発明の実施の形態について、図面を用いて詳細に説明する。
【００１０】
実施の形態１．
図１は、本発明の実施の形態１における配線チェックシステムのシステム構成を概略的に示す図である。図２は、本発明の実施の形態１における配線チェックシステムの機能的構成を概略的に示す図である。図３は、本発明の実施の形態１における配線チェック処理を説明するフローチャートである。図４は、本発明の実施の形態１における配線チェック処理後に定めた室内機と室外機との配置関係の情報を説明する図である。図５は、本発明の実施の形態１における配線チェック処理後の表示部１２の表示画面の一例を示す図である。
図１に示すように、配線チェックシステムは、室内機と室外機との配線の接続状態が正しいか否かを判定するものであり、配線チェック装置１、室外機２ａ〜ｄ、及び室内機３ａ〜ｄを備えている。
【００１１】
まず、個々の構成について説明し、次に、個々の構成相互の接続関係を説明した後、その動作について説明する。
【００１２】
配線チェック装置１は、筐体表面側に、操作スイッチ１１及び表示部１２等を構成し、筐体内に、端子台２１ａ、端子台２１ｂ、端子台２１ｃ、端子台２１ｄ、及び制御部２２等を備えている。
【００１３】
操作スイッチ１１は、ユーザーによって操作された後、室内機と室外機との配線の接続状態が正しいか否かを確認する動作である配線チェック処理や自動修正処理（いずれも後述する）の実行開始を配線チェック装置１に対して指令するものであり、例えば、押しボタン等で構成されている。
なお、操作スイッチ１１の構成については、これに限定するものではない。例えば、トグルスイッチ、スライドスイッチ、及びタッチパネル等の入力形態であってもよい。
表示部１２は、操作スイッチ１１によって配線チェック処理や自動修正処理が実行された後の実行結果を表示するものであり、例えば、液晶ディスプレイで構成されている。
なお、表示部１２の構成については、これに限定するものではない。例えば、ＬＥＤランプ、７セグメントディスプレイ、ドットマトリックスディスプレイ、及びタッチパネル機能付き液晶ディスプレイ等の表示形態であってもよい。
【００１４】
端子台２１ａ、端子台２１ｂ、端子台２１ｃ、及び端子台２１ｄ（以下、これらを総称するときには端子台２１と称する）は、詳細については後述する室外機２ａ、室外機２ｂ、室外機２ｃ、及び室外機２ｄ（以下、これらを総称するときは室外機２と称する）と電気的に接続するものであり、接続された室外機２１とのデータ通信を行うインターフェースとしての機能を有する。
なお、ここでは４つの入出力ポートを持つ端子台２について説明したが、ポート数をこれに限定するものではない。
【００１５】
制御部２２は、配線チェック装置１を統括制御するものであり、例えば、マイクロプロセッサユニットを主体として構成されている。
なお、制御部２２の構成については、これに限定するものではない。例えば、ファームウェア等の更新可能なもので構成されていてもよい。
なお、配線チェック装置１の筐体の構成についても特に限定されるものではない。
【００１６】
室外機２ａ、室外機２ｂ、室外機２ｃ、及び室外機２ｄは、詳細については後述する室内機３ａ、室内機３ｂ、室内機３ｃ、及び室内機３ｄと連携して空気調和機を構成するものである。
室外機２ａ、室外機２ｂ、室外機２ｃ、及び室外機２ｄは、それぞれの筐体内部に、圧縮機、膨張弁、熱源側熱交換器、及び熱源側熱交換器の近傍に設置されるファン等（いずれも図示せず）を有し、冷媒回路の一部を構成するものである。
【００１７】
また、室外機２ａ、室外機２ｂ、室外機２ｃ、及び室外機２ｄは、後述する室外機電気品ボックス３１ａ、室外機電気品ボックス３１ｂ、室外機電気品ボックス３１ｃ、及び室外機電気品ボックス３１ｄをそれぞれ有している。
【００１８】
また、室内機３ａ、室内機３ｂ、室内機３ｃ、及び室内機３ｄは、それぞれの筐体内部に、利用側熱交換器及びこの利用側熱交換器の近傍に設置されるファン等を有し、冷媒回路の一部を構成するものである。
また、室内機３ａ、室内機３ｂ、室内機３ｃ、及び室内機３ｄは、後述する室内機電気品ボックス７１ａ、室内機電気品ボックス７１ｂ、室内機電気品ボックス７１ｃ、及び室内機電気品ボックス７１ｄをそれぞれ有している。
なお、室内機３ａ、室内機３ｂ、室内機３ｃ、及び室内機３ｄを総称していうときには室内機３と称する。
【００１９】
室外機２ａは、上記で説明したように、室外機電気品ボックス３１ａを有する。室外機電気品ボックス３１ａは、室外機の構成要素のうち、圧縮機やファン等を駆動する電子制御回路等の電気部品を収納するものである。
室外機電気品ボックス３１ａは、室内機接続用室外機端子台４１ａ、配線チェック装置接続用室外機端子台４２ａ、及び室外機制御部４３ａ等を有し、外部にある電源部６１ａによって駆動するものである。
【００２０】
室内機接続用室外機端子台４１ａは、例えば、室外機２ａと室内機３ａとを電気的に接続するものであり、接続された室外機２ａと室内機３ａとのデータ通信を行うインターフェースである。
配線チェック装置接続用室外機端子台４２ａは、室外機２ａと配線チェック装置１とを電気的に接続するものであり、接続された室外機２ａと配線チェック装置１とのデータ通信を行うインターフェースである。
ここで、室内機接続用室外機端子台４１ａ及び配線チェック装置接続用室外機端子台４２ａは、室外機電気品カバー５１ａで覆われている。
室外機電気品カバー５１ａは、内部の各種端子台等を外部の水分や塵埃等から保護するものであり、この各種端子台等が構成されている開口部を覆っている。
なお、室外機電気品カバー５１ａの構成については、特に限定されるものではない。
【００２１】
室外機制御部４３ａは、圧縮機、膨張弁、及びファン等の駆動構成要素を統括制御するとともに、例えば、室内機３ａや配線チェック装置１等とデータ通信を行うものであり、電子制御回路等から構成されている。
電源部６１ａは、例えば商用電源で構成され、室外機２ａに電力を供給するものである。
【００２２】
なお、上記では室外機２ａの構成の一例について説明したが、これに限定するものではない。
なお、他の室外機２ｂ、室外機２ｃ、及び室外機２ｄについても上記と同様の構成を有するものであり、その説明については省略する。
【００２３】
室内機３ａは、上記で説明したように、室内機電気品ボックス７１ａを有する。室内機電気品ボックス７１ａは、室内機の構成要素のうち、ファン等を駆動する電子制御回路等の電気部品を収納するものである。
室内機電気品ボックス７１ａは、室外機接続用室内機端子台８１ａ、配管温度センサー８２ａ、及び室内機制御部８３ａ等を有し、外部にある電源部（図示せず）によって駆動するものである。
【００２４】
室外機接続用室内機端子台８１ａは、例えば、室内機３ａと室外機２ａとを電気的に接続するものであり、接続された室内機３ａと室外機２ａとのデータ通信を行うインターフェースである。
配管温度センサー８２ａは、後述する冷媒配管９２ａの温度を検知するものであり、例えば、サーミスタから構成され、冷媒配管９２ａに設置されている。
なお、配管温度センサー８２ａの構成については、これに限定するものではない。
室内機制御部８３ａは、熱交換器近傍に設置されたファン等を統括制御するとともに、例えば、室外機２ａとデータ通信を行うものであり、電子制御回路等から構成されている。
【００２５】
なお、上記では室内機３ａの構成の一例について説明したが、これに限定するものではない。
なお、他の室内機３ｂ、室内機３ｃ、及び室内機３ｄについても上記と同様の構成を有するものであり、その説明については省略する。
【００２６】
次に、配線チェック装置１、室外機２、及び室内機３の接続関係について説明する。
図１に示すように、室内機３ａの室外機接続用室内機端子台８１ａと、室外機２ａの室内機接続用室外機端子台４１ａとは、室内機−室外機間通信線９１ａを介して電気的に接続されている。室外機２ａの配線チェック装置接続用室外機端子台４２ａと、配線チェック装置１の端子台２１ａとは、室外機−配線チェック装置間通信線９３ａを介して電気的に接続されている。室内機３ａと、室外機２ａとは、冷媒配管９２ａを介して接続されることで、上記で説明した圧縮機、熱源側熱交換器、膨張弁、及び利用側熱交換器が冷媒配管で接続され、冷媒を循環させる冷媒回路が形成されている。
【００２７】
また、図１に示すように、室内機３ｂの室外機接続用室内機端子台８１ｂと、室外機２ｂの室内機接続用室外機端子台４１ｂとは、室内機−室外機間通信線９１ｂを介して電気的に接続されている。室外機２ｂの配線チェック装置接続用室外機端子台４２ｂと、配線チェック装置１の端子台２１ｂとは、室外機−配線チェック装置間通信線９３ｂを介して電気的に接続されている。室内機３ｂと、室外機２ｂとは、冷媒配管９２ｂを介して接続されることで、上記で説明した圧縮機、熱源側熱交換器、膨張弁、及び利用側熱交換器が冷媒配管で接続され、冷媒を循環させる冷媒回路が形成されている。
【００２８】
また、図１に示すように、室内機３ｃの室外機接続用室内機端子台８１ｃと、室外機２ｃの室内機接続用室外機端子台４１ｃとは、室内機−室外機間通信線９１ｃを介して電気的に接続されている。室外機２ｃの配線チェック装置接続用室外機端子台４２ｃと、配線チェック装置１の端子台２１ｃとは、室外機−配線チェック装置間通信線９３ｃを介して電気的に接続されている。室内機３ｃと、室外機２ｃとは、冷媒配管９２ｃを介して接続されることで、上記で説明した圧縮機、熱源側熱交換器、膨張弁、及び利用側熱交換器が冷媒配管で接続され、冷媒を循環させる冷媒回路が形成されている。
【００２９】
また、図１に示すように、室内機３ｄの室外機接続用室内機端子台８１ｄと、室外機２ｄの室内機接続用室外機端子台４１ｄとは、室内機−室外機間通信線９１ｄを介して電気的に接続されている。室外機２ｄの配線チェック装置接続用室外機端子台４２ｄと、配線チェック装置１の端子台２１ｄとは、室外機−配線チェック装置間通信線９３ｄを介して電気的に接続されている。室内機３ｄと、室外機２ｄとは、冷媒配管９２ｄを介して接続されることで、上記で説明した圧縮機、熱源側熱交換器、膨張弁、及び利用側熱交換器が冷媒配管で接続され、冷媒を循環させる冷媒回路が形成されている。
【００３０】
なお、室内機−室外機間通信線９１ａ、室内機−室外機間通信線９１ｂ、室内機−室外機間通信線９１ｃ、及び室内機−室外機間通信線９１ｄを総称していうときには室内機−室外機間通信線９１と称する。
なお、冷媒配管９２ａ、冷媒配管９２ｂ、冷媒配管９２ｃ、及び冷媒配管９２ｄを総称していうときには冷媒配管９２と称する。
なお、室外機−配線チェック装置間通信線９３ａ、室外機−配線チェック装置間通信線９３ｂ、室外機−配線チェック装置間通信線９３ｃ、及び室外機−配線チェック装置間通信線９３ｄを総称していうときには室外機−配線チェック装置間通信線９３と称する。
なお、ここでは有線による通信線の通信媒体について説明したが、通信媒体をこれに限定するものではなく、無線、光、及び電磁波等であってもよい。
【００３１】
次に、図２〜５を用いて動作について説明する。
まず、図２は、室内機−室外機間通信線９１の接続状態が誤っている場合を想定しているものである。
なお、説明の便宜上、図２〜５では室外機２ａを室外機Ａ、室外機２ｂを室外機Ｂ、室外機２ｃを室外機Ｃ、室外機２ｄを室外機Ｄ、室内機３ａを室内機Ａ、室内機３ｂを室内機Ｂ、室内機３ｃを室内機Ｃ、及び室内機３ｄを室内機Ｄと称することとする。
具体的には、室外機Ａは、室内機−室外機間通信線９１ａを介して、室内機Ｃと電気的に接続されている。室外機Ｂは、室内機−室外機間通信線９１ｂを介して、室内機Ｂと電気的に接続されている。室外機Ｃは、室内機−室外機間通信線９１ｃを介して、室内機Ｄと電気的に接続されている。室外機Ｄは、室内機−室外機間通信線９１ｄを介して、室内機Ａと電気的に接続されている。
【００３２】
図２の構成を前提にして、図３を用いて動作の詳細について説明する。
（ステップＳ１１）
配線チェック装置１より室外機Ａに運転指令を発信する。
【００３３】
（ステップＳ１２）
運転指令を受けた室外機Ａが運転を実施する。このとき、室外機Ａと冷媒配管９２ａを介して接続された室内機Ａ内に設置された配管温度センサー８２ａに温度変化が発生する。
【００３４】
（ステップＳ１３）
変化した室内機Ａの配管温度を配管温度センサー８２ａが検知する。このとき、室内機制御部８３ａは、配管温度センサー８２ａで検知した室内機Ａの配管温度の変化後の配管温度をＡ／Ｄ変換し、変換したデータをさらに適用されている通信プロトコルに準拠した送信形態に補正し、配管温度データを形成する。
【００３５】
（ステップＳ１４）
配管温度センサー８２ａで検知した室内機Ａの配管温度の変化後の配管温度データが室外機Ｄに供給され、室外機Ｄから配線チェック装置１に送信される。このとき、配線チェック装置１は、室外機Ａに発信した運転指令により室内機Ａの配管温度センサー８２ａに温度変化が生じた点、及び配管温度センサー８２ａで検知した温度変化後の温度が配管温度データとして室外機Ｄを介して送信された点の２点について把握していることになる。つまり、配線チェック装置１は、室外機Ａと室内機Ａとは冷媒配管９２ａを介して接続されているものの、室外機Ａと室内機Ａとは室内機−室外機間通信線９１ａを介して電気的に接続されておらず、室内機Ａと室外機Ｄとが室内機−室外機間通信線９１ａを介して電気的に接続されていることを認識することになる。
【００３６】
（ステップＳ１５）
配線チェック装置１は、これら一連の処理により、室内機Ａの配線が室外機Ｄに接続されていると判定する。
【００３７】
（ステップＳ１６）
これら一連の動作を繰り返すことで配線チェック装置１は全ての配線状態を判定する。
このときの判定結果を、図４を用いて説明する。
図４は、室内機Ａ〜Ｄと、室外機Ａ〜Ｄとの対応関係から構成される表であり、対応している箇所にはフラグとして１が設定され、対応していない箇所にはフラグとして０が設定されている。なお、ここではフラグとして１と０を用いた一例について説明したが、室内機Ａ〜Ｄと、室外機Ａ〜Ｄとの対応関係をこれに限定するものではない。次のステップＳ１７では、この判定結果に基づいて表示部１２に配線の接続状態が表示されるのである。
具体的には、次の４点が判定されている。１点目は、室内機Ａの配線は室外機Ｄに接続されている点である。２点目は、室内機Ｂの配線は室外機Ｂに接続されている点である。３点目は、室内機Ｃの配線は室外機Ａに接続されている点である。４点目は、室内機Ｄの配線は室外機Ｃに接続されている点である。
【００３８】
（ステップＳ１７）
配線チェック装置１の表示部１２に配線状態が表示され、処理は終了する。ここで、図５を用いて表示部１２の表示の一例について説明する。
図５に示すように、表示部１２の左側には室内機Ａ〜Ｄが示され、表示部１２の右側には室外機Ａ〜Ｄが示され、室内機Ａ〜Ｄと、室外機Ａ〜Ｄとの配線の接続状態が３つの矢印記号で各々示されている。
【００３９】
換言すれば、配線チェック装置１は、室内機Ａで検知した配管温度データの転送ルートに基づいて配線の接続状態を判定している。
これにより、配線チェック装置１は、冷媒配管９２の温度変化の差分に基づいて配線の接続状態を確認する必要がない。ただ単に、どこから検知した温度データが送信されてきたかが判別できれば、室内機−室外機通信線９１の接続状態を判定できる。そのため、複数の室内機と複数の室外機との間の配線の接続状態を判定することができる。
【００４０】
また、配線チェック装置１の表示部１２に、配線の接続状態の判定結果を表示するようにしたので、配線の接続状態を据付業者等に通知し、据付業者等がそれを知ることができ、室内機３ａ〜ｄ及び室外機２ａ〜ｄの設置時に配線と配管のマッチングを正しくすることができる。これにより、空気調和機のユーザーは配線と配管のマッチングが正しい状態で常に適正に空気調和機を運転することができる。
【００４１】
以上のように、本実施の形態１では、室内機と、該室内機に冷媒配管を介して接続されている室外機との組を複数組備えた冷却システムにおける室内機−室外機間通信線９１ａ〜ｄの接続状態を判定する配線チェック装置において、室内機と当該室内機に接続された室外機との室内機−室外機間通信線９１ａ〜ｄの接続状態を判定する制御部２２を備え、制御部２２は、室内機から所定のデータが当該室内機に接続された室外機に送信され、当該室外機が所定のデータを受信すると、当該室外機の受信を検知し、室内機と室外機とは正常に室内機−室外機間通信線９１ａ〜ｄで接続されていると判定することにより、複数の室内機と複数の室外機との間の配線の接続状態を判定することができる。
【００４２】
実施の形態２．
以上の実施の形態１では、配線の接続状態を配線チェック装置１の表示部１２に表示し、配線の接続状態が間違っている場合、据付業者等が容易に修正できるようにしたものである。これに対して、実施の形態２においては、配線の接続状態が間違っていたとしても、常に適正に空気調和機を運転することができるものである。
なお、本実施の形態２において、特に記述しない項目については実施の形態１と同様とし、同一の機能や構成については同一の符号を用いて述べることとする。
なお、実施の形態１と同様の機能や構成については、その説明を省略する。
【００４３】
図６は、本発明の実施の形態２における配線チェックシステムのシステム構成を概略的に示す図である。図７は、本発明の実施の形態２における配線チェックシステムの機能的構成を概略的に示す図である。図８は、本発明の実施の形態２における自動修正処理を説明するフローチャートである。
【００４４】
図６に示すように、配線チェック装置１は、機能切替スイッチ１０１を有している。機能切替スイッチ１０１は、配線チェック処理のみを行う処理と、配線チェック処理に加えて配線を自動修正し、その修正した配線に基づいて室外機２ａ〜ｄと室内機３ａ〜ｄとで構成される空気調和機を運転する自動修正処理とを切り替えるものである。
【００４５】
また、配線チェック装置１は、係止手段、例えば、ネジ止め等により室外機２ｄの上部に据付けられている。
なお、ここでは、室外機２ｄの上部に据え付ける一例について説明したが、配線チェック装置１の据付箇所をこれに限定するものではない。
【００４６】
次に動作について説明する。
なお、ここでも便宜上、室外機２ａを室外機Ａ、室外機２ｂを室外機Ｂ、室外機２ｃを室外機Ｃ、室外機２ｄを室外機Ｄ、室内機３ａを室内機Ａ、室内機３ｂを室内機Ｂ、室内機３ｃを室内機Ｃ、及び室内機３ｄを室内機Ｄと称することとする。
【００４７】
（ステップＳ４１）
機能切替スイッチ１０１で「自動修正」が選択されたか否かを判定する。「自動修正」が選択されたとき、ステップＳ４２に進み、「自動修正」が選択されなかったとき、ステップＳ５３に進む。なお、ステップＳ５３の処理については実施の形態１で説明したステップＳ１１〜Ｓ１７と同様であるので、その説明については省略する。
【００４８】
（ステップＳ４２）〜（ステップＳ４７）
ステップＳ４２〜Ｓ４７についても、実施の形態１で説明したステップＳ１１〜Ｓ１７と同様であるので、その説明については省略する。
【００４９】
（ステップＳ４８）
室外機Ａ〜Ｄに割り当てられている室内機Ａ〜Ｄの運転指令実施権限を解除し、配線チェック装置１に室内機Ａ〜Ｄの運転実施権限を割り当てる。
【００５０】
（ステップＳ４９）
室内機Ａが運転指令を室外機Ｄに送信する。
（ステップＳ５０）
室外機Ｄは室内機Ａから送信された運転指令を配線チェック装置１に送信する。
（ステップＳ５１）
配線チェック装置１は運転指令の送信元を室内機Ａと判定する。
（ステップＳ５２）
配線チェック装置１は判定した送信元である室内機Ａと冷媒配管を介して接続されている室外機Ａに運転指令を送信し、処理は終了する。
【００５１】
換言すると、室内機Ａより運転司令を受信した室外機Ｄについては、機能切替スイッチ１０１にて自動修正が選択された場合には、室外機Ｄは、室内機Ａの指令ではなく、配線チェック装置１の指令に従うように制御されるため、室外機Ｄが動作することはない。
【００５２】
このように、配線チェック装置１を室外機に設け、機能切替スイッチ１０１で自動修正が選択されることで、常に、室外機２ａ〜ｄと室内機３ａ〜ｄとの配線の接続状態が正しく修正される。よって、据付業者は室外機２ａ〜ｄと室内機３ａ〜ｄの配線のマッチングを注意せず作業を行うことができ、作業効率を向上させることができる。よって、空気調和機の使用者は配線と配管のマッチングが正しい状態で常に適正に空気調和機を運転することができる。
【００５３】
実施の形態３．
以上の実施の形態１、２では、室内機と室外機とが１対１のタイプについてのものであった。これに対して、実施の形態３においては、室外機１台に対し、複数の室内機が接続できる多室形タイプにも対応することができる。
なお、本実施の形態３において、特に記述しない項目については実施の形態１と同様とし、同一の機能や構成については同一の符号を用いて述べることとする。
なお、実施の形態１、２と同様の機能や構成については、その説明を省略する。
【００５４】
図９は、本発明の実施の形態３における配線チェックシステムの機能的構成を概略的に示す図である。図１０は、本発明の実施の形態３における配線チェック処理後の表示部１２の表示画面の一例を示す図である。
なお、ここでも便宜上、室外機２ａを室外機Ａ、室外機２ｂを室外機Ｂ、室外機２ｃを室外機Ｃ、室外機２ｄを室外機Ｄ、室内機３ａを室内機Ａ、室内機３ｂを室内機Ｂ、室内機３ｃを室内機Ｃ、及び室内機３ｄを室内機Ｄと称することとする。
【００５５】
基本動作は実施の形態１、２と同様であるが、室外機Ａ〜Ｄが配線チェック装置１に接続されると、室外機Ａ〜Ｄは配線チェック装置１に対し、自室外機に接続されている室内機が何台かを配線チェック装置１に送信する。
これにより、配線チェック装置１は、室外機Ａに接続された室内機の数を把握することができるため、対象室外機と室内機の配線チェックを順番に行うことができる。
【００５６】
例えば、図９に示すように、室外機Ａが配線チェック装置１に接続されると、配線チェック装置１は室外機Ａに室内機Ａ〜Ｄの４台が接続されていることを認識することができる。よって、配線チェック装置１は、室内機Ａ−１、室内機Ａ−２、室内機Ａ−３、及び室内機Ａ−４と順次チェックを実行していく。その後、配線チェック装置１は同様に、室外機Ｂ、室外機Ｃ、及び室外機Ｄの順にチェックし、完了させる。そのときの結果表示についての一例を図１０に示す。
【００５７】
以上のように、室外機が室内機を多数接続できるタイプの場合においても室内機と室外機とが１対１タイプの場合と同様に、さらには、室外機が室内機を多数接続できるタイプと室内機と室外機が１対１のタイプとが混在した場合においても、配管と配線のマッチングの確認とその結果の表示、及び自動修正についても対応することができるので、実施の形態１、２と同様の効果を得ることができる。
【００５８】
以上のように、本実施の形態３においては、異なった台数の室外機と室内機とが接続されていることにより、室外機が室内機を多数接続できるタイプの場合においても室内機と室外機とが１対１タイプの場合と同様に、さらには、室外機が室内機を多数接続できるタイプと室内機と室外機が１対１のタイプとが混在した場合においても、配管と配線のマッチングの確認とその結果の表示、及び自動修正についても対応することができるので、実施の形態１、２と同様の効果を得ることができる。
【符号の説明】
【００５９】
１  配線チェック装置、２、２ａ〜ｄ  室外機、３、３ａ〜ｄ  室内機、１１  操作スイッチ、１２  表示部、２１、２１ａ〜ｄ  端子台、２２  制御部、３１、３１ａ〜ｄ  室外機電気品ボックス、４１、４１ａ〜ｄ  室内機接続用室外機端子台、４２、４２ａ〜ｄ  配線チェック装置接続用室外機端子台、４３、４３ａ〜ｄ  室外機制御部、５１、５１ａ〜ｄ  室外機電気品カバー、６１、６１ａ〜ｄ  電源部、７１、７１ａ〜ｄ  室内機電気品ボックス、８１、８１ａ〜ｄ  室外機接続用室内機端子台、８２、８２ａ〜ｄ  配管温度センサー、８３、８３ａ〜ｄ  室内機制御部、９１、９１ａ〜ｄ  室内機−室外機間通信線、９２、９２ａ〜ｄ  冷媒配管、９３、９３ａ〜ｄ  室外機−配線チェック装置間通信線、１０１  機能切替スイッチ。
【図１】
0005863461.tif 000002
【図２】
0005863461.tif 000003
【図３】
0005863461.tif 000004
【図４】
0005863461.tif 000005
【図５】
0005863461.tif 000006
【図６】
0005863461.tif 000007
【図７】
0005863461.tif 000008
【図８】
0005863461.tif 000009
【図９】
0005863461.tif 000010
【図１０】
0005863461.tif 000011